(57)【特許請求の範囲】
【請求項１】
送気経路と吸気経路とからなるエアダクトと、
吸気経路から吸入した空気を浄化する空気清浄手段と、
を有する収納体の環境改善装置において、
エアダクトは、水平方向に連続した一個の空気通路であり、エアダクトの長さ方向の途中が空気遮断板によって送気経路と吸気経路とに区分され、
空気清浄手段は、送気経路に直結しており、
送気経路は、水平方向に並んで形成された複数の送気口を有し、
吸気経路は、水平方向に並んで形成された複数の吸気口を有し、
複数の送気口から送気され収納体の内部を巡った空気を複数の吸気口から吸入して空気清浄手段により空気を浄化し複数の送気口から送気することを特徴とする収納体の環境改善装置。
【請求項２】
送気経路と吸気経路とからなるエアダクトと、
吸気経路から吸入した空気を浄化する空気清浄手段と、
を有する収納体の環境改善装置において、
エアダクトは、垂直方向に連続した一個の空気通路であり、エアダクトの長さ方向の途中が空気遮断板によって送気経路と吸気経路とに区分され、
空気清浄手段は、送気経路に直結しており、
送気経路は、垂直方向に並んで形成された複数の送気口を有し、
吸気経路は、垂直方向に並んで形成された複数の吸気口を有し、
複数の送気口から送気され収納体の内部を巡った空気を複数の吸気口から吸入して空気清浄手段により空気を浄化し複数の送気口から送気することを特徴とする収納体の環境改善装置。
【請求項３】
エアダクトの送気口は斜め下方に送気する向きに、吸気口は斜め下方から吸気する向きに形成されている請求項１または２記載の収納体の環境改善装置。
【請求項４】
エアダクトは、棚板または天板に組み込まれている請求項１記載の収納体の環境改善装置。
【請求項５】
棚板または天板は収納物品の出し入れ面側に垂直方向の壁を含む框を有し、送気口は水平方向に送気する向きに形成され、送気口から水平方向に排出された空気の流れが上記框によって下向きに曲げられる請求項４記載の収納体の環境改善装置。
【請求項６】
収納体は、収納物品の出し入れ面側から見て収納物品の出し入れ面側を複数に区分する支柱を有する多連形の収納体であって、エアダクトは、各連の棚板または天板にまたがって連続して形成されている請求項４記載の収納体の環境改善装置。
【請求項７】
空気清浄手段とともに調湿装置を有する請求項１または２記載の収納体の環境改善装置。
【請求項８】
エアダクトは、棚の側パネルに組み込まれている請求項２記載の収納体の環境改善装置。
【請求項９】
エアダクトは、棚の奥行き方向に並ぶ支柱間に組み込まれている請求項２記載の収納体の環境改善装置。
【請求項１０】
エアダクトの送気経路が有する複数の送気口は、棚の間口面に直交する向きに送気するように形成され、この送気を棚の間口面と平行な方向に曲げる方向転換部材を有する請求項８または９記載の収納体の環境改善装置。
【発明の詳細な説明】
【０００１】
【発明の属する技術分野】
本発明は、移動棚、固定棚、収納棚、陳列棚、クローゼット、靴箱、納戸等の収納体に関するもので、収納体内部の空気を浄化する機能を備えた収納体の環境改善装置に関するものである。
【０００２】
【従来の技術】
移動棚、固定棚、収納棚、陳列棚、クローゼット、靴箱、納戸等の収納体は、図書館、文化財保存館、公文書館、資料館、倉庫、番庫、病院、地下貯蔵庫、美術館、商店、デパート、スーパーマーケット等において広く用いられている。
収納体としては、その収納部の少なくとも収納物を出し入れする開口部が常時開放された構成のオープンタイプの収納体や、この開口部を開閉するための扉が配設された構成のクローズタイプの収納体などが知られている。
【０００３】
オープンタイプの収納体においては、常時開放された開口部を通して、大気中に浮遊している黴の胞子、バクテリア、花粉、塵埃、ダニの死骸等の微粒子や、蛾、蜘蛛などの害虫がその収納部内に侵入し易い。
一方、クローズタイプの収納体においては、扉を閉鎖しておくことによって、収納部の開口部からの上記微粒子や害虫等の侵入をある程度防止することはできるが、この収納体においても、扉の開閉時や収納物を出し入れする際の、収納部への上記微粒子や害虫等の侵入を防止することは難しい。また、クローズタイプの収納体では、扉が閉鎖されることによって、その収納部内の空気と、新鮮な外気との交換が遮断されるため、収納部内の空気が汚染され易い。
【０００４】
このため、この種従来の収納体では、その収納部の開口部を通して侵入した上記微粒子や害虫、あるいは収納部内の汚染した空気の影響によって、収納部に収納された収納物の品質が低下し、また、収納部内の空気や収納物が悪臭を発するという問題点があった。
【０００５】
そこで本出願人は、収納部内の空気を吸入するための吸気口を有する吸気経路と、吸気口から吸気経路内に導入された空気を排出するための送気口を有する送気経路と、上記吸気経路及び上記送気経路を通して収納部内の空気を循環させるためのエアー循環手段と、エアー循環手段により循環される収納部内の空気を浄化するためのエアーフィルタとを備え、収納体の開口部に沿って空気が流れるように上記排出口を形成してなる空気浄化機能付収納体を開発し、先に特許出願した。特願２００１−１６１５５９（特開２００２−８０１０６）にかかる発明がそれである。
【０００６】
上記出願にかかる発明によれば、エアー循環手段により吸気口から吸気経路内に導入された収納部内の空気が、エアーフィルタによって浄化され、この浄化された空気が、送気経路を通して送気口から収納体の開口部の開口面に沿って排出される。これにより、収納体の開口部に沿って、上記エアーフィルタによって浄化された空気の流れからなるエアーカーテンが形成される。すなわち、この空気浄化機能付収納体においては、エアーフィルタによって、収納体の収納部内に浮遊している黴の胞子、バクテリア、花粉、塵埃、ダニの死骸等の微粒子が捕集され、収納体の収納部内の空気が浄化される。また、この空気浄化機能付収納体においては、上記エアーカーテンによって、その収納部内への蛾、蜘蛛などの害虫の侵入が阻止される。
【０００７】
【発明が解決しようとする課題】
このように、上記出願にかかる発明によれば、収納体の収納部内およびその周辺の空気が浄化されて、収納物品の保存環境が改善されるため、貴重な文書、美術品、文化財などの保存に的している。
この種の収納体は新しい発想に基づくものであって、まだ改良の余地が残されている。最も大きな改善すべき課題は、空気循環効率である。風量が豊富であることが要求される半面、収納物品の湿度を適度に保つために、適度の風速に抑制されることが望まれている。
【０００８】
そこで本発明は、空気循環効率を高めることができるとともに、適度の風速に抑制することができる収納体の環境改善装置を提供することを目的とする。
本発明の他の目的は、物品収納部の環境を中性環境に改善することができる収納体の環境改善装置を提供することにある。
【０００９】
【課題を解決するための手段】
本発明は、送気経路と吸気経路とからなるエアダクトと、吸気経路から吸入した空気を浄化する空気清浄手段と、を有する収納体の環境改善装置において、エアダクトは、水平方向に連続した一個の空気通路であり、エアダクトの長さ方向の途中が空気遮断板によって送気経路と吸気経路とに区分され、空気清浄手段は、送気経路に直結しており、送気経路は、水平方向に並んで形成された複数の送気口を有し、吸気経路は、水平方向に並んで形成された複数の吸気口を有し、複数の送気口から送気され収納体の内部を巡った空気を複数の吸気口から吸入して空気清浄手段により空気を浄化し複数の送気口から送気することを特徴とする。
【００１０】
エアダクトは、水平方向に伸びていて、これが空気遮断板によって送気経路と吸気経路に区分された単純な構成であるため、空気清浄手段により浄化された空気が効率よく豊富な風量でエアダクトの送気経路に導かれる。浄化された空気は水平方向に並んだ複数の送気口から排出され、収納体の物品収納部および収納体の周辺を巡って水平方向に並んだ複数の吸気口から吸い込まれ、吸気経路から空気清浄手段に至り、浄化されて再び複数の送気口から排出される。
【００１１】
また、本発明は、送気経路と吸気経路とからなるエアダクトと、吸気経路から吸入した空気を浄化する空気清浄手段と、を有する収納体の環境改善装置において、エアダクトは、垂直方向に連続した一個の空気通路であり、エアダクトの長さ方向の途中が空気遮断板によって送気経路と吸気経路とに区分され、空気清浄手段は、送気経路に直結しており、送気経路は、垂直方向に並んで形成された複数の送気口を有し、吸気経路は、垂直方向に並んで形成された複数の吸気口を有し、複数の送気口から送気され収納体の内部を巡った空気を複数の吸気口から吸入して空気清浄手段により空気を浄化し複数の送気口から送気することを特徴とする。
また、本発明は、エアダクトの送気口は斜め下方に送気する向きに、吸気口は斜め下方から吸気する向きに形成されていることを特徴とする。
【００１２】
また、本発明は、エアダクトは、棚板または天板に組み込まれていることを特徴とする。また、本発明は、棚板または天板は収納物品の出し入れ面側に垂直方向の壁を含む框を有し、送気口は水平方向に送気する向きに形成され、送気口から水平方向に排出された空気の流れが上記框によって下向きに曲げられることを特徴とする。棚板または天板の框で下向きに曲げられた空気は、水平方向に並んだ複数の吸気口の方に向かって流れの向きが変えられ、結果として、浄化された空気が収納部および収納体の周辺をくまなく巡り、収納部および収納体の周辺の環境が効率的に改善される。
【００１３】
また、本発明は、収納体は、収納物品の出し入れ面側から見て収納物品の出し入れ面側を複数に区分する支柱を有する多連形の収納体であり、エアダクトは、各連の棚板または天板にまたがって連続して形成されていることを特徴とする。多連形の収納体であっても、風量が豊であるため、浄化空気が端部の連にも充分に行き渡る。
【００１４】
また、本発明は、空気清浄手段は、光触媒酸化チタンフィルタを有することを特徴とする。光触媒酸化チタンフィルタを有することによって、殺菌、除菌効果および空気中の微細な塵埃の分解効果を高めることができる。また、本発明は、空気清浄手段とともに調湿装置を有することを特徴とする。
【００１５】
また、本発明は、送気経路と吸気経路からなるエアダクトと、吸気経路から吸入した空気を浄化する空気清浄手段とを有する収納体の環境改善装置において、エアダクトは、垂直方向に伸びていて空気遮断板によって送気経路と吸気経路に区分され、送気経路は垂直方向に並んだ複数の送気口を有し、吸気経路は垂直方向に並んだ複数の吸気口を有し、複数の送気口から送気され収納体の内部を巡った空気を複数の吸気口から吸入して空気清浄手段により空気を浄化し複数の送気口から送気することを特徴とする。
【００１６】
また、本発明は、エアダクトは、棚の側パネルに組み込まれていることを特徴とする。また、本発明は、エアダクトは、棚の奥行き方向に並ぶ支柱間に組み込まれていることを特徴とする。また、本発明は、エアダクトの送気経路が有する複数の送気口は棚の間口面に直交する向きに送気するように形成され、この送気を棚の間口面と平行な方向に曲げる方向転換部材を有することを特徴とする。
【００１８】
【発明の実施の形態】
以下、図面を参照しながら本発明にかかる収納体の環境改善装置の実施形態について説明する。
図１ないし図６において、収納体としての棚１０は、台枠１２をベースにしており、この台枠１２と、台枠１２に立てられた複数の支柱１４と、各支柱１４の上端部間を連結する天板１６とによって棚の枠体が構成されている。図示の例では、支柱１４が棚１０の物品出し入れ面側から見て等間隔に４本立てられ、物品出し入れ面が３面に形成されたいわゆる３連形式の棚１０が形成されている。また、側面から見て支柱１４が３本立てられ、物品収納空間が中央の支柱１４で区切られて物品出し入れ面が奥行き方向両側に形成された複柱式の棚になっている。
【００１９】
もっとも、本発明を適用可能な棚は複柱式の棚に限られるものではなく、物品出し入れ面が片側にのみ設けられた棚であってもよい。また、図示の実施形態では、台枠１２の部分に回転自在に設けられた走行車輪によって移動することができる移動棚となっているが、本発明を適用可能な棚は、移動不能に据えつけられる固定棚であってもよい。
【００２０】
互いに隣り合う支柱１４であって平面方向から見て四角形の角に相当する位置にある４個の支柱１４は、それぞれ１枚の棚板１８を支持している。棚板１８の支持構造は任意であるが、例えば、奥行き方向に並ぶ支柱間に袖板を掛け止め、物品出し入れ面側から見て左右に対をなす袖板によって棚板１８を支持する構造であってもよい。棚板１８は上下方向に複数段にわたって掛け止められていて、最上位の棚板１８でありかつ図１において左端の棚板１８には、空気清浄手段としての空気清浄機３０が取り付けられている。
【００２１】
空気清浄機３０が取り付けられている棚板１８およびこの棚板１８と並んで同じ高さ位置にある他の棚板１８には、これらの棚板１８にまたがって、送気経路２６と吸気経路２８からなるエアダクト２４が組み込まれている。エアダクト２４はもともと水平方向に連続した１個の空気通路である。図４、図８に示すように、エアダクト２４は空気清浄機３０が取り付けられている棚板１８の部分において、エアダクト２４の長さ方向の途中が空気遮断板３２によって送気経路２６と吸気経路２８に区分されている。送気経路２６には水平方向に並んだ複数の送気口３６が形成され、吸気経路２８に水平方向に並んだ複数の吸気口３８が形成されている。図１において記号Ｅは送気口３６の形成範囲を示しており、記号Ｉは吸気口３８の形成範囲を示している。
【００２２】
空気清浄機３０は、吸気経路２８の吸気口３８から吸入した空気を浄化して送気経路２６に送り込み、送気口３６から排出する。空気清浄機３０は、例えば光触媒酸化チタンフィルタを有していて、空気中に浮遊する微細な塵埃を吸着分解し、空気中の細菌を除菌し、滅菌する。図３、図４、図８において符号４６は空気清浄機３０の吸気口を示しており、この吸気口４６は吸気経路２８に連通している。また、符号４８は空気清浄機３０の送気口を示しており、この送気口４８は送気経路２６の一端部に連通している。
【００２３】
図示の実施形態は、前述のように複式の棚になっていて、エアダクト２４および空気清浄機３０は、奥行き方向に並んで配置されている２列の棚板１８にそれぞれ個別に組み込まれている。そして、２列の棚板１８の各前面すなわち物品取り出し面側において、送気経路２６の複数の送気口３６から水平方向前方に向かって浄化空気が排出され、また、吸気経路２８の複数の吸気口３８によって周辺の空気が水平方向に吸気されるようになっている。
【００２４】
エアダクト２４の形状を図７に示す。図７において、エアダクト２４が組み込まれる棚板１８は、少なくとも収納物品の出し入れ面側に垂直方向の壁を含む框３４を有している。棚板１８の下面側には、偏平な断面ハット形部材４４と偏平なチャンネル状の部材４５が嵌め合わされることによって形成された断面長方形の空間からなるエアダクト２４が固着されている。図７に示す部分は送気経路２６の部分であって、上記エアダクト２４には、収納物品の出し入れ面側に送気口３６が形成されている。この送気口３６は前述のように水平方向に複数並べて形成されている。また、送気口３６は送気経路２６内の空気を水平方向前方に送気する向きに形成され、送気口３６から水平方向に排出された空気の流れが上記框３４によって下向きに曲げられるようになっている。
【００２５】
前記吸気経路２８の部分も上記送気経路２６と同様の断面形状になっていて、送気口３６と同様の吸気口３８が形成されている。
なお、空気清浄機３０内にはエアーフィルタが装着されている。このエアーフィルタは定期的に交換等のメンテナンスができるように、空気清浄機３０の前側壁面にエアーフィルタ装脱用の扉を設けるとよい。
【００２６】
図７に示すように構成された送気経路２６によれば、空気清浄機３０から送り出されエアダクト２４を通る浄化空気が、送気口３６から水平方向前方に向かって排出される。しかし、この排出方向前方には棚板１８の框３４の垂直壁が存在しているため、水平方向前方に排出された空気は框３４の内面によって下向きに曲げられる。このため、排出空気は棚１０の前面に沿って下方に流れていく。一方、吸気経路２８の複数の吸気口３８も図７の送気口３６と同様に構成されているため、棚板１８の前部下方から空気を吸い込む。この結果、送気口３６から下に向かって排出された空気は徐々に向きを変えられ、吸気口３８の近傍では上向きとなって吸気口３８から吸い込まれる。このようにして、棚１０の前面を巡った空気が吸気口３８から吸い込まれ、空気清浄機３０で浄化されて再び送気口３６から排出される。
【００２７】
なお、図１ないし図７に示す実施形態では、エアダクト２４が、同じ高さで横方向に連続する棚板１８に形成され、これらの棚板の一つに空気清浄機３０が取り付けられているが、エアダクト２４および空気清浄機３０は天板１６に組み込んでもよい。天板１６に組み込むエアダクトの形状は、図７に示す形状と同様であってもよい。
さらには、台枠１２にエアダクト２４および空気清浄機３０を組み込んでもよい。この場合、送気口が上向きに空気を排出し、吸気口が下向きに空気を吸い込むようにするとよい。
【００２８】
図１ないし図６において、符号２０と２２は棚１０の側面に取り付けられた側パネルを示す。また、符号４０は調湿装置を示している。調湿装置４０は、側パネル２０に取り付けられ、側パネル２０の内面側に空気取り入れ口４２と排出口４３を有している。空気取り入れ口４２は上記吸気経路２８周辺に集められた棚内の空気の一部を吸い込んで除湿し、場合によっては加湿する。調湿装置４０によって調湿された空気は、排出口を経て連絡路４５から上記吸気経路２８に送られ、吸気口３８から取り入れられた空気と共に空気清浄機３０で浄化されて送気経路２６に送り込まれるようになっており、棚１０の湿度環境を適度に保つようになっている。なお、調湿装置４０を設けるかどうかは任意である。
【００２９】
以上説明した実施形態によれば、エアダクト２４は、水平方向に伸びていて、これが空気遮断板３２によって送気経路２６と吸気経路２８に区分された単純な構成になっており、空気清浄機３０が送気経路２６に直結している。そのため、空気清浄機３０により浄化された空気が効率よく豊富な風量でエアダクト２４の送気経路２６に導かれ、送気口３６から排出される。こうして、棚１０の周辺および物品収納部の空気を効率よく循環させ、単位時間あたりの空気循環回数を高めて、棚１０の周辺および物品収納部の環境を迅速に改善することができる。
【００３０】
エアダクト２４は、棚板１８に板４４を付加することによって一体に組み込まれ、ダクトとして個別に形成する必要がないから、部品数が少ないという利点があり、また、連続した一つのダクト２４を空気遮断板３２で送気経路２６と吸気経路２８に分割しているので、構成が簡単であり、低コストで収納体の環境改善装置を得ることができる。さらに、エアダクト２４を棚板１８または天板１６に一体に組み込むことにより、収納物品の出し入れ面を支柱１４で複数に区分する多連形の収納体の場合においても、各連の棚板１８または天板１６にまたがって連続してエアダクト２４を形成することができるため、エアダクト２４の形成が容易であるという利点もある。
【００３１】
次に、本発明を採用した場合の各種測定データとともに本発明によって得られる効果について説明する。
実験データが豊富にあるわけではないが、風速０．５ｍ／ｓｅｃ程度以上の風が収納物に直接当たると、収納物の含水率の、相対湿度変化に多する応答が速くなり、望ましくないといわれている。そこで、風が収納物に当たるときの風速が０．５ｍ／ｓｅｃ以下になることを目安にして開発、設計した。そのために、図１、図５に示すように、排出口３６の数を多くすることで各排出口３６から排出される空気の速度を弱めるようにした。さらに、図７について説明したように、送気口３６から水平方向に排出された空気を棚板１８の框３４に当てて風速を弱めると共に、風向きを下に向け、強い風が収納物に直接当たることを避けるように構成した。これによって収納物がこうむる風害を避けることができる。
【００３２】
次に、本発明にかかる技術思想を採用した場合の、単位時間あたりの換気回数を、前記先の出願にかかる発明を採用した場合と比較して測定した。その結果を図９に示す。間口の連数が１２のものを測定対象として、２連、４連、６連、８連、１０連、１２連位置で測定した。図９において曲線Ａは本発明にかかる技術思想を採用した場合、曲線Ｂは先の出願にかかる発明を採用した場合を示している。曲線Ａ、Ｂから明らかなとおり、本発明にかかる技術思想を採用することによって、単位時間あたりの換気回数が、いずれの測定点においても、先の出願にかかる発明の場合と比較すると約１０倍になっており、環境改善効率が高いことがわかる。
【００３３】
本発明にかかる技術思想を採用した場合の送気口３６からの風速を、送気口３６の数を変えながら測定した。測定対象の棚は１０連構成で、それぞれの連位置において測定した。送気口の直径は１０ｍｍとした。図１０において、曲線ａは各連における送気口数が全て１５個、曲線ｂは各連における送気口数が全て２０個、曲線ｃは各連における送気口数が全て４０個、曲線ｄは送気口数が２連目と３連目で１０個、４連目から１０連目まで４０個、曲線ｅは送気口数が２連目と３連目で１５個、４連目から１０連目まで４０個、曲線ｆは送気口数が２連目と３連目で２０個、４連目から１０連目まで４０個としたものの測定結果を示す。風源すなわち空気清浄機は１連目に設置している。この結果からわかるように、風源に近いほど風速が早くなっている。特に、全体として送気口数が少ないと風速が早くなり、風源に近いほど顕著に風速が早くなっていて望ましくない。また、風源に近い位置では送気口数を少なくし、風源から遠い位置では送気口数を多くしたほうが全体として均一な風速が得られることがわかった。測定したものの中では、曲線ｅが得られた送気口数が２連目と３連目で１５個、４連目から１０連目まで４０個としたものが、全体としてほぼ風速０．５ｍ／ｓｅｃ以下を達成しており、最も望ましい。
【００３４】
そこで次に、送気口数を１５個と４０個としたものを、連数を変えて測定してみた。その結果を図１１に示す。曲線ａは１０連、曲線ｂは９連、曲線ｃは６連、曲線ｄは３連の棚の測定結果をそれぞれ示している。いずれの仕様の棚においても、ほぼ風速０．５ｍ／ｓｅｃ以下を達成している。
【００３５】
図１２は、除菌効果に関する試験結果を示す。棚内および棚外に、カビ用培地の入った直径９０ｍｍのシャーレを５箇所に置き、意図的に悪条件にして落下菌試験を行った。空気清浄機稼動後一定の時間経過ごとに落下菌を採取し、培養検出した。その結果を図１２に示す。図１２において、曲線ａは本発明思想を取り入れた棚の内部で検出したもの、曲線ｂは前記先の出願の発明思想を取り入れた棚の内部で検出したもの、曲線ｃは棚外で検出したものをそれぞれ示す。横軸は稼働時間、縦軸は減衰率である。図１２からわかるように、前記先の出願にかかる発明思想を取り入れたものも除菌効果に優れていることがわかるが、本発明思想を取り入れた棚においてはさらに除菌効果に優れていることがわかる。
【００３６】
また、本発明思想を取り入れた棚によれば、稼動前に強い酸性の環境にあったものが、２４時間稼動後には中性環境すなわち清浄環境に改善されることがわかった。この酸・アルカリ環境測定の方法は、各棚の物品収納ブロック内に環境モニターを設置し、色の変化をカラースケールと対比して判定した。前期先の出願にかかる発明思想を取り入れたものに関しても測定した結果、環境改善効果が認められたが、稼動前の強い酸性が２４時間稼動後に弱酸性になっており、本発明思想を取り入れた棚の方が、環境改善効果が高いことがわかった。
【００３７】
本発明思想を取り入れた棚によれば、収納体内部が常時空気調整され、温度、湿度が管理されるため、各物品収納空間が安定した環境条件に維持される。また、調湿機を取り付けた場合は、湿度条件がさらに良好に維持される。
【００３８】
ここまで説明してきた実施形態は、エアダクトが水平方向に延びていたが、本発明はこれに限られるものではない。エアダクトは垂直方向に伸びていてもよい。以下、このような構成の実施形態について説明する。
【００３９】
図１３ないし図１５に示す実施形態は、送気経路と吸気経路を有するエアダクトを垂直方向に延ばしたものである。図１３、図１４において、棚１０の一方側の側パネル２２には、その内側の面に沿ってエアダクト２４が固定されている。棚１０は奥行き方向に二つの棚板１８が配置された複式の棚で、エアダクト２４も奥行き方向二つの棚板１８に対応して二つ配置されている。エアダクト２４は空気遮断板によって送気経路２６と吸気経路２８に区分されている。送気経路２６には複数の送気口３６が垂直方向に並んで形成され、吸気経路２８には複数の吸気口３８が垂直方向に並んで形成されている。図１３では、送気口３６の形成範囲を記号Ｅで、吸気口３８の形成範囲を記号Ｉで示している。
【００４０】
上記側パネル２２の下部外側面には光触媒酸化チタンフィルタを有する空気清浄機３０が取り付けられている。空気清浄機３０の吸気口４６は上記吸気経路２８に連通し、空気清浄機３０の送気口４８は上記送気経路２６に連通している。
【００４１】
図１４に示すように、エアダクト２４の送気経路２６に形成された送気口３６は棚１０の間口面に直交する向きに送気するように形成されている。この送気の進行方向には、側パネル２２の側縁を直角に折り曲げてなる折り曲げ側縁部２２１が位置している。この折り曲げ側縁部２２１は上記送気を棚１０の間口面と平行な方向に曲げる方向転換部材として機能する。吸気口３８付近の構造も同じで、棚１０の間口面と平行な方向に流れてくる空気を側パネル２２の折り曲げ側縁部２２１で直角方向に曲げて吸気口３８に導くようになっている。
【００４２】
なお、エアダクト２４は、図１５に示す実施形態のように、棚１０の奥行き方向に並ぶ支柱１４間に組み込んでもよい。この実施形態では、棚の間口面側に位置する支柱１４の間口面側の面に送気口３６が形成されている。吸気口も同様に形成する。エアダクト２４と側パネル２２の内面側との間に生じる空間は遮蔽板２２２で塞がれている。送気口３６から棚１０の間口面に直交する方向に送気される空気の進路上には、上記送気を棚１０の間口面と平行な方向に曲げる方向転換部材２２３が配置されている。方向転換部材２２３は、側パネル２２の折り曲げ側縁部を延ばしたものでもよい。
【００４３】
図１３ないし図１５に示す実施形態によれば、送気経路と吸気経路を有するエアダクトを垂直方向に延ばした点が図１ないし図８に示す実施形態と異なるだけであり、図１ないし図８に示す実施形態と同様の作用と効果を得ることができる。
【００４４】
図１６に示す実施形態は、エアダクトを水平方向に伸びた部分と垂直方向に延びた部分に分け、水平方向に伸びた部分を吸気経路２８とし、垂直方向に延びた部分を送気経路２６としたものである。より具体的には、棚１０の最上段の棚板１８に光触媒酸化チタンフィルタを有する空気清浄機３０が取り付けられ、上記棚板１８に吸気経路２８が設けられ、側パネル２２に送気経路２６が設けられている。上記棚板１８は一部が残されて吸気口形成範囲Ｉとなっていて、残りの部分に空気清浄機３０の送気口４８が連通し、さらに、上記残りの部分は送気経路２６に連通している。吸気経路２８は、図１ないし図８に示す実施形態の吸気経路と同様に構成することができ、送気経路２６は、図１３ないし図１５に示す実施形態の送気経路と同様に構成することができる。
【００４６】
送気口、吸気口は、図７、図８について説明したような、水平方向に送気し、水平方向から吸気することに限定されるものではない。図７、図８に示す例では、風速を制御することを意図して、一旦水平方向に送気し、これを、垂直面をなす部材に当てることによって送気の向きを間接的に下向きにしていた。しかし、図７に示すように、送気経路２６の送気口３６１を下向きに形成して、送気を下向きにしてもよい。また、図１８に示すように、送気経路２６の送気口３６２を斜め下向きに形成して、送気を斜め下向きにしてもよい。吸気経路の吸気口も同様に、図７に示すように形成して、吸気経路の下側からまたは斜め下側から吸気するようにしてもよい。あるいは、送気口を図１７、図１８に示す送気口と同様の構成とし、吸気口を図７に示す構成と同様の構成としてもよいし、逆に、吸気口を図１７、図１８に示す送気口と同様の構成とし、送気口を図７に示す構成と同様の構成としてもよい。
【００４７】
本発明にかかる環境改善装置は、図示の実施形態のような棚に限らず、移動棚、固定棚、収納棚、陳列棚、クローゼット、靴箱、納戸等の収納体一般に適用可能である。
【００４８】
【発明の効果】
本発明によれば、エアダクトは、水平方向に伸びていて、これが空気遮断板によって送気経路と吸気経路に区分された単純な構成になっており、空気清浄機が送気経路に直結しているため、空気清浄機により浄化された空気が効率よく豊富な風量でエアダクトの送気経路に導かれ、送気口から排出される。こうして、収納体の周辺および物品収納部の空気を効率よく循環させ、単位時間あたりの空気循環回数を高めて、収納体の周辺および物品収納部の環境を迅速に改善することができる。
【００４９】
本発明のように、エアダクトを棚板または天板に組み込んだものにおいて、棚板または天板に収納物品の出し入れ面側に垂直方向の壁を含む框を設け、送気口を水平方向に送気する向きに形成し、送気口から水平方向に排出された空気の流れが上記框によって下向きに曲げられるように構成したものによれば、棚板または天板の框で下向きに曲げられた空気が、水平方向に並んだ複数の吸気口の方に向かって流れの向きが変えられ、結果として、浄化された空気が収納部および収納体の周辺をくまなく巡り、収納部および収納体の周辺の環境が効率的に改善される。
【００５０】
また、本発明によれば、空気清浄手段が光触媒酸化チタンを有していることにより、殺菌、除菌効果および空気中の微細な塵埃の分解効果を高めることができる。
【図面の簡単な説明】
【図１】本発明にかかる収納体の環境改善装置の実施形態を示す正面図である。
【図２】図１中の線Ａ−Ａに沿う断面図である。
【図３】図１中の線Ｂ−Ｂに沿う断面図である。
【図４】上記実施形態の要部を拡大して図３に準じて示す断面図である。
【図５】上記実施形態の要部を拡大して図１に準じて示す断面図である。
【図６】上記実施形態の要部を拡大して図２に準じて示す断面図である。
【図７】上記実施形態のエアダクト部分を切断して示す斜面図である。
【図８】上記実施形態の空気清浄機とエアダクトの部分を示す斜視図である。
【図９】本発明思想を取り入れた収納体の時間あたりの換気回数を先行出願にかかる発明思想を取り入れたものと比較して示すグラフである。
【図１０】本発明思想を取り入れた収納体によって生じる風速の測定結果を各種仕様ごとに示すグラフである。
【図１１】特定の仕様条件における風速の測定結果を連数の異なる収納体ごとに示すグラフである。
【図１２】本発明思想を取り入れた収納体の除菌効果に関する試験結果を比較例と共に示すグラフである。
【図１３】本発明にかかる収納体の環境改善装置の別の実施形態を示す正面図である。
【図１４】上記実施形態のエアダクト部分を示す平面断面図である。
【図１５】上記エアダクト部分の変形例を示す平面断面図である。
【図１６】本発明にかかる収納体の環境改善装置のさらに別の実施形態を示す正面図である。
【図１７】本発明に適用可能な送気口の変形例を示す断面図である。
【図１８】本発明に適用可能な送気口の別の変形例を示す断面図である。
【符号の説明】
１０  収納体
１４  支柱
１６  天板
１８  棚板
２４  エアダクト
２６  送気経路
２８  吸気経路
３０  空気清浄手段
３２  空気遮断板
３４  框
３６  送気口
３８  吸気口
４０  調湿装置
【図１】
0004183976.tif 000002
【図２】
0004183976.tif 000003
【図３】
0004183976.tif 000004
【図４】
0004183976.tif 000005
【図５】
0004183976.tif 000006
【図６】
0004183976.tif 000007
【図７】
0004183976.tif 000008
【図８】
0004183976.tif 000009
【図９】
0004183976.tif 000010
【図１０】
0004183976.tif 000011
【図１１】
0004183976.tif 000012
【図１２】
0004183976.tif 000013
【図１３】
0004183976.tif 000014
【図１４】
0004183976.tif 000015
【図１５】
0004183976.tif 000016
【図１６】
0004183976.tif 000017
【図１７】
0004183976.tif 000018
【図１８】
0004183976.tif 000019